(57)【要約】      （修正有）【課題】コンクリート製沈床工に於いて桁（柱）のボルト孔の数と固定ボルトの本数を少なくし製造やカーブの施工も容易で河川流速で沈床工の前面が洗掘されても中詰め石が流失しない強靭な沈床工の提供。【解決手段】河床部（下段施工部）に使用される製品は２種類の輪郭部桁（柱）と石止め格子を一体化製品として上部段重ねは一本桁（柱）製品としジョイント連結はジョイントプレートとボルトを使用しカーブに対応する手段とする。【選択図】    図１
2004324050.tif 000002
【特許請求の範囲】
【請求項１】
コンクリート製井桁沈床工に於いて、水流方向に平行する両端部にジョイント突出部を設けた前後２本の横桁に石止め格子を複数設けたものとし水流方向に直角となす左右２本の縦桁との芯芯を正方形としてなる一体化製品Ａとこの製品の横桁間のジョイント突出部内に入る輪郭寸法の縦横の桁の横桁に石止め格子を一体化製品Ｂとしたものと一本桁製品Ｃとを井桁沈床工の必要高さに応じて段重ねして組み合わせ重なり部又は隣接部をジョイントプレートとボルトで固定し、ここに自然石又は割石を中詰めしてなる河川護岸のコンクリート製井桁沈床工製品の構築方法。
【請求項２】
水流方向に直角となす両端部にジョイント突出部を設け横桁との交差部の両サイドに伸縮目地材を設けた２本の縦桁と水流方向に平行する両端部にジョイント突出部を設けた３本の横桁に石止め格子を設けた長尺一体化製品Ｄと「請求項１」の一体化製品Ｂと一本桁製品Ｃとを井桁沈床工の必要高さに応じて段重ねして組み合わせ重なり部又は隣接部をジョイントプレートとボルトで固定し、ここに自然石又は割石を中詰めしてなる河川護岸のコンクリート製長尺一体化井桁沈床工製品の構築方法。
【発明の詳細な説明】
【０００１】
【産業上の利用分野】
本発明は、製造と施工を容易としてなる河川護岸のコンクリート製井桁沈床工製品の構築方法に関するものである。
【０００２】
【従来の技術】
これまでの沈床工には、
▲１▼  コンクリート製品の一本桁（柱）の端部にボルト孔を設け井桁状に段重ね組み合わせて最後にボルトで固定し中に石詰めする方法。
▲２▼  天然木材による一本材料の端部にボルト孔を設け井桁状に段重ね組み合わせて最後にボルトで固定し中に石詰めするかボルト孔を組み合わせた仮設段階でドリルでボルト孔を設けてボルトで固定し順次重ねて更にボルトで固定し中に石詰めする方法。
▲３▼  コンクリート製品又は天然木材（間伐材）のパネル版状製品の輪郭固定し中に石詰めとする方法。
▲４▼  特開平９−２７３１３３号（出願  平成８年４月９日）の様なブロック枠の段重を固定し中に石詰めする方法等が有った。
【０００３】
しかし、これらの製品材料と方法には次の様な課題と欠点が有った。
【０００４】
▲１▼  ▲２▼  においては、材料一本一本を組み合わせセッテングに技術を要するばかりか井桁の先端が洗掘された場合中詰め石が流失する課題があり、そのために水流と直角に敷桁を使用する事になると敷桁を多く必要とし、これを固定するための横桁に多くのボルト孔（芯芯２ｍ桝とすると少なくとも６箇所の孔）を必要とする為に桁の強度を弱くしていたばかりか取り付けセッテングにも時間を要する課題と欠点が有った。
【０００５】
▲３▼のパネル版状製品でも上記  ▲１▼  ▲２▼  の様な課題と欠点に加え敷桁を取り付ける場合には、パネル版状製品の底部にこの敷桁に取り付けの開口部（ボルト孔）を必要とし、このセッテングにも時間と手間ががかかる欠点があった。
【０００６】
▲４▼の製品に於いても、上記  ▲１▼  ▲２▼  と同様に井桁の先端が洗掘された場合中詰め石が流失する課題があり、そのために水流と直角に敷桁を使用する事になると敷桁を多く必要とし、これを固定するための横桁に多くのボルト孔とボルトを必要とする事は  ▲１▼  ▲２▼    同様の課題と欠点が有ったばかりか輪郭桁（柱）のみのコンクリート製品のために製製造脱型や運搬それに施工時に於いて強い曲げ応力が加わると桁（柱）にひび割れが生ずる心配も有った。
【０００７】
そこで、本件の発明者達人は、従来の製品の納入実績や施工方法を熟知しながら、これらの課題を解決するために本発明を次の様な課題をもって完成したものである。
【０００８】
【発明が解決しようとする課題】
▲１▼    製造、工場ストック、運搬、施工が容易である製品提供を課題とする。
【０００９】
▲２▼  総合的に材料が少なくボルト固定箇所も少なくする課題とする。
【００１０】
▲３▼  井桁沈床工の前部が洗掘されても詰石が流失しない製品の提供を課題とする。
【００１１】
▲４▼  一個の枠（桝）は芯芯の正方形でカーブも施工出来る課題とする。
【００１２】
▲５▼  長型製品とした場合でも長尺の縦桁（柱）にひび割れの生じない課題とする。
【００１３】
【課題を解決するための手段】
この出願発明は、基本的には河床部（下段施工部）の製品は中詰め石が流失しない格子を設けた製品の繋がり交互の組み合わせとし上部は段重ね一本の桁（柱）製品としボルト孔は横長の手段とし交互の繋ぎ固定はジョイントプレートと貫通ボルトでの固定手段とする。
【００１４】
【発明の実施の形態】
▲１▼  この発明の河床部（下段施工部）製品は比較的質量を有し鉄筋コンクリートで基本的に一体である事が望ましい。
【００１５】
▲２▼  河床部（下段施工部）製品は詰石の流失しない構造である事が望ましい。
【００１６】
▲３▼  一個の枠製品（井桁桝）を基本的には桁の芯芯を２ｍ．２ｍの４ｍ２（奥行きの法面方向にも２ｍ．２ｍ）で延長方向（水流方向）も２ｍ．２ｍの繰り返し枠（井桁桝）の構築でカーブ施工はジョイントプレートの長さで調整出来る事が望ましい。
【００１７】
▲４▼  加えて、工場の製造、工場ストック、運搬、機械施工が容易である事が望ましく桁（柱）の接合部や中央にひび割れが生じない事が望ましい。
【００１８】
【実施例】
次に、この発明を実施例により説明するが、この発明は実施例に限定されるものではない。
【００１９】
図１は本発明の河床部（下段施工部）製品は基本的製品Ａ（中詰石の流失防止製品）の概要斜視図であり、図２は図１基本的製品Ａの横桁間に施工する隣接製品Ｂ（中詰石の流失防止製品）の概要斜視図であり、図３は基本的製品Ａや隣接製品Ｂの上に必要に応じ順次段重ねされる一本桁製品Ｃの斜視図であり、図４は実施例（製品寸法入り）の基本的製品Ａの平面、側面、正面、断面を示し、図５は基本的製品Ａとこの製品の横桁のジョイント突出部内に入る輪郭寸法の隣接製品Ｂの平面、側面、正面、断面を示し、図６は一本桁製品Ｃの平面、側面、正面を示し、図７は施工概要平面図であり、図８は図７の正面概要図であり、図９は「請求項２」の要部拡大図を示しての長尺一体化製品Ｄの概要斜視図であり、図１０は植袋沈床工の実施例の施工断面概要図であり、Ａは河床部（下段施工部）に使用（植栽沈床工では上段にも使用）する格子一体化の基本的製品を、Ｂは基本的製品Ａ．Ａ間に使用する格子一体化の隣接製品を、ＣはＡ．Ｂ製品の上に段重ねされる一本桁製品を、１は基本的製品Ａの横桁を、１−１は横桁のジョイント突出部を、２は基本的製品Ａの縦桁を、２−１は縦桁のジョイント突出部を、３は格子を、４は収縮目地材を、５はダンウエルバーを、６は主鉄筋を、７は配力鉄筋を、８ジョイントプレートを、９は横長ボルト孔を、１０はボルトを、１１は切欠部を、１２は中詰め石を、１３は植袋を、１４は草花を、１５はプレキャスト土留を、１６は小魚を、１７は河床を、１８は法面ブロックをそれぞれ示す。
【００２０】
実施例
まず、「請求項１」を説明すると、  コンクリート製井桁沈床工に於いて、水流方向に平行する河床部に使用する基本的製品の横桁１．１の両端部にジョイント突出部１−１．１−１を設けた２本のこの横桁１．１に石止め格子３を複数（通常は縦横の桁の太さが１５０ｍｍであれば１５０ｍｍ間隔）設けたものとし水流方向に直角となす２本の底部基本的製品の縦桁２．２の芯芯を正方形（実施例図４では桁の太さ１５０×１５０ｍｍ  外外寸法２１５０ｍｍ  芯芯２０００ｍｍ）としてなる一体化の基本的製品Ａとこの製品の横桁１．１のジョイント突出部１−１１−１の内に入る輪郭寸法の横桁１．１と縦桁２．２の桁に石止め格子３を複数本設け一体化製品Ｂ（実施例図５では桁の太さ１５０×１５０ｍｍ  外外寸法１８５０ｍｍ  芯芯１７００ｍｍ）として４隅をジョイントプレート８とボルト１０が入り作業出来る範囲の切欠部１１を設けて、図７の施工概要平面図と図８の施工概要正面図に示す様に必要な井桁の高さが確保される様に一本桁製品Ｃを段重ねして組み合わせ重なり部又は隣接部をジョイントプレート８とボルト１０で固定し、ここに自然石又は割石を中詰めしてなる河川護岸のコンクリート製井桁沈床工製品の構築方法であるが、一体化で基本的製品Ａの横長ボルト孔９は手前が十字で奥は丁字に、隣接製品Ｂのボルト孔９は４隅に、一本桁製品Ｃのボルト孔９は一方の端部より柱一本分寄せて一体化の基本的製品Ａと重なる位置あるいは隣接してジョイントプレート８で結ばれる位置として２個、他方の端部にも一体化の基本的製品Ａの縦桁２の延長位置と突出部１−１の中央の位置として２個の計４を設けるものとする。
【００２１】
次に「請求項２」について図９の長尺一体化製品Ｄの概要斜視図で説明すると水流方向に直角となす両端部にジョイント突出部１−１を設け横桁１と交差部の両サイドに伸縮目地材４．４を設けた２本の縦桁２と水流方向に平行する両端部にジョイント突出部１−１．１−１を設けた３本の横桁１に石止め格子３を設けた長尺一体化製品Ｄと「請求項１」で説明した一体化製品Ｂと一本桁製品Ｃとを井桁の必要高さに応じて段重ねして組み合わせ重なり部又は隣接部をジョイントプレートとボルトで固定し、ここに自然石又は割石を中詰めしてなる河川護岸のコンクリート製井桁沈床工製品の構築方法とするものである。
【００２２】
【発明の効果】
本発明を上記の構築方法とする事で次の様な作用効果を有する。
【００２３】
▲１▼  本発明は、従来の様に桁（柱）を一本一本組み立て、ボルトで固定するのでは無く、河床部（下段施工部）の製品は中詰め石が流失しない複数の格子を設けた一体化製品で基本的には上記した如くＡ製品とＢ製品それに一本桁（柱）製品とした３種類の製品で組み合わされるために特別な技術も必要とせず作業効率が良い。
【００２４】
▲２▼  格子が桁に一体のために、従来の様に横桁に敷桁との綴じボルト孔を必要とせず、ボルトの数も取り付けの手間も必要としないばかりか一体である事は工場製造、工場ストック、運搬が容易であり多少の曲げ応力が加わってもひび割れの生ずる心配は無い。
【００２５】
▲３▼  河床部（下段施工部）製品が一体である事は製品質量を有し井桁構造物の前面洗掘が生じても中詰め石の流失が生じないばかりか井桁構造物全体が強靭である。
【００２６】
▲２▼  施工現場に比較的大きい半径のカーブ（半径１００ｍ以上）が有ったとしても一体正方形のＡ製品やＢ製品をそのままにしてジョイントプレートの長さでカーブ施工を可能とする事が出来る。
【００２７】
▲５▼  本発明の河床部に使用する格子一体のＡ製品とＢ製品を図１０の施工断面概要図の如く法面近くの上段に使用し、中に植袋を布設することにより河川の水面近くに植栽草花で環境と生態系を考慮した沈床工の提供も出来るものである。
【００２８】
【図面の簡単な説明】
【図１】本発明の河床部使用基本的製品Ａ（中詰石の流失防止製品）の概要斜視図。
【図２】図１基本的製品Ａの横桁間に施工される隣接製品Ｂ（中詰石の流失防止製品）の概要斜視図。
【図３】基本的製品Ａや隣接製品Ｂの上に必要に応じ順次段重ねされる一本桁製品Ｃの斜視図。
【図４】実施例（製品寸法入り）の基本的製品Ａの平面、側面、正面、断面を示す。
【図５】基本的製品Ａとこの製品の横桁のジョイント突出部内に入る隣接製品Ｂの平面、側面、正面、断面を示す。
【図６】一本桁製品Ｃの平面、側面、正面を示す。
【図７】実施例の施工概要平面図。
【図８】図７の正面概要図。
【図９】要部拡大図を示しての長尺一体化製品Ｄの概要斜視図。
【図１０】植袋沈床工の実施例の施工断面概要図。
【符号の説明】
Ａ  格子一体化の基本的製品
Ｂ  格子一体化の隣接製品
Ｃ  一本桁製品
Ｄ  長尺一体化製品
１  基本的製品Ａの横桁
１−１  横桁のジョイント突出部
２  基本的製品Ａの縦桁
２−１  縦桁のジョイント突出部
３  格子
４  収縮目地材
５  ダンウエルバー
６  主鉄筋
７  配力鉄筋
８  ジョイントプレート
９  横長ボルト孔
１０  ボルト
１１  切欠部
１２  中詰め石
１３  植袋
１４  草花
１５  プレキャスト土留製品
１６  小魚
１７  河床
１８  法面ブロック
【図１】
2004324050.tif 000003
【図２】
2004324050.tif 000004
【図３】
2004324050.tif 000005
【図４】
2004324050.tif 000006
【図５】
2004324050.tif 000007
【図６】
2004324050.tif 000008
【図７】
2004324050.tif 000009
【図８】
2004324050.tif 000010
【図９】
2004324050.tif 000011
【図１０】
2004324050.tif 000012